(57)【要約】【課題】  繰り返して書き込み可能な電子ペーパを使用することにより、大量の普通紙の持ち運びを不要とし、また、携帯に便利な、外出先で簡単に電子ペーパに書き込み可能なノート型パソコンを提供する。【解決手段】  ノート型パソコン１の筐体に電子ペーパ２００の搬送路を形成し、この搬送路の途中に、電子ペーパ２００に書き込みを行う書込手段を設けたノート型パソコン１を提供する。このノート型パソコン１は、電子ペーパ２００の表示を読み取るスキャナ手段（読取センサ１５）と、このスキャナ手段により読み取られたデータを記憶する記憶手段５４と、電子ペーパ２００の表示を消去する消去手段（消去ヘッド１８）を備えている。また、記憶手段５４に記憶された読取データを解析する解析手段（ＯＣＲ部５５）を有し、スキャナ手段で読み取られたデータ（例えば、手書き文）を解析して、活字に変換することも可能である。【選択図】  図１
2006119909.tif 000002
【特許請求の範囲】
【請求項１】
ノート型パソコンの筐体に電子ペーパの搬送路を形成し、この搬送路の途中に、電子ペーパに書き込みを行う書込手段を設けたことを特徴とするノート型パソコン。
【請求項２】
前記電子ペーパの表示を読み取るスキャナ手段と、
このスキャナ手段による読取データを記憶する記憶手段と、
を有する請求項１記載のノート型パソコン。
【請求項３】
前記記憶手段に記憶した前記スキャナ手段の読取データを解析する解析手段を有する請求項１又は２記載のノート型パソコン。
【請求項４】
電子ペーパに表示された内容を消去する消去手段を設けた請求項１、２又は３記載のノート型パソコン。
【請求項５】
請求項１〜請求項４のいずれかに記載のノート型パソコンにおいて、
このノート型パソコンが、
可動筐体部である第一の筐体部と固定筐体部である第二の筐体部を有し、
前記第一の筐体部の内部で前記電子ペーパを搬送する第一の搬送路と、
前記第二の筐体部の内部で前記電子ペーパを搬送する第二の搬送路とを有し、
前記第一の搬送路と前記第二の搬送路とが連通するように設けられたノート型パソコン。
【発明の詳細な説明】
【技術分野】
【０００１】
本発明は、携帯型のノート型パーソナルコンピュータ（以下「ノート型パソコン」という。）に関し、特に、電子ペーパに書き込み可能なノート型パソコンに関する。
【背景技術】
【０００２】
先に、本出願人は、所定の定型用紙に手書きで記入されたデータをノート型パソコンに入力する際の入力ミスをなくすとともに、ノート型パソコンを用いる業務の効率化を図る印刷手段を備えたノート型パソコンを提案した（特願２００３−１８１４０６号公報）。
【０００３】
この提案は、図１２に示すように、第一の筐体部（可動筐体部１１０）と第二の筐体部（固定筐体部１２０）とを備えてなるノート型パソコン１００において、第一の筐体部あるいは第二の筐体部が、普通紙に記載されているデータを読み取るスキャナ手段（読取センサ１１５）を有する構成としてある。
また、第一の筐体部あるいは第二の筐体部が、スキャナ手段で読み取られたデータを表示する表示手段（表示部１１１）を有する構成としてある。
【０００４】
また、第一の筐体部あるいは第二の筐体部が、スキャナ手段で読み取られたデータを解析する解析手段（図１０のＯＣＲ部５５に相当）と、この解析手段で解析されたデータを印刷する印刷手段（印字ヘッド１２４）とを有する構成としてある。
また、印刷用普通紙を収納した給紙カセット手段（図示省略）に組み合わせて使用する印刷用用紙供給手段（図示省略）を有する構成としてある。
なお、１１２は第一の搬送路、１２１はキーボード、１２２は第二の搬送路、１３０はヒンジ部である。
【０００５】
このようなノート型パソコンによれば、例えば、Ａ４版のノート型パソコン１００の第一の筐体部には、スキャナ手段（読取センサ１１５）が備えられているので、普通紙の画像を読み取り、ОＣＲ部で手書き文字を解析し、印刷用のデータに変換して普通紙に印刷することができる。
【０００６】
これによりデータをキー入力することなく、入力データを手書きした用紙をスキャナ手段で読み取り、ＯＣＲ部でデータ化することが可能となる。したがって、キー入力時に発生する入力ミスが無くなり、確実にデータ入力することが可能になる。
また、携帯の容易なノート型パソコンにより、データの読み取りを行うことができることから、外出先でノート型パソコンによって、例えば、顧客データを読み取り、データ化することが可能となり、そのデータにもとづいて顧客に必要な情報を印刷して提供することができる。したがって、業務の効率化を図ることができる。
【０００７】
一方、普通紙と同様に印刷（書き込み）可能な電子ペーパが既に開発されている。電子ペーパは、書き込み内容が最終的に不要となる場合や、書き込み内容に記載ミスがある場合には、いったん書き込まれた表示を消去することができる。このため、必要最小限の枚数の電子ペーパがあれば、大量の普通紙を印刷用に準備する必要がなくなる。しかも、電子ペーパは、普通紙のように可撓性・柔軟性に富み、読みやすく、比較的低価格という特徴がある。
そこで、電子ペーパに既に記載されている表示を消去し、新たに書き込みできる電子ペーパ用プリンタが提供されている（例えば、特許文献１参照。）。
【０００８】
【特許文献１】特開２００３−１４０８５７号公報（第１頁、第１図）
【発明の開示】
【発明が解決しようとする課題】
【０００９】
しかしながら、上記電子ペーパ用プリンタは、電子ペーパに書き込みし、また消去することが可能であるが、汎用のパーソナルコンピュータと併用して使用することで、初めて電子ペーパに書き込みできるものである。したがって、本出願人が提案した印刷手段を有するノート型パソコンのように、簡単に外出先で電子ペーパに書き込みすることが困難である。
このため、必要最小限の枚数の電子ペーパがあれば、大量の普通紙を印刷用に準備する必要がなくなるという電子ペーパの利点を外出先で生かすことができない。
【００１０】
本発明は、以上のような従来の技術が有する問題を解決するために提案されたものであり、電子ペーパの利点を外出先でも生かすことができる、電子ペーパに書き込み可能なノート型パソコンを提供することを目的とする。
【課題を解決するための手段】
【００１１】
上記目的を達成するため、本発明のノート型パソコンは、ノート型パソコンの筐体に電子ペーパの搬送路を形成し、この搬送路の途中に、電子ペーパに書き込みを行う書込手段を設けた構成としてある。
このように構成すれば、携帯に容易なノート型パソコンを使用して電子ペーパに書き込みすることができる。従来、携帯の容易なノート型パソコンを使って、電子ペーパに印刷することができなかったが、これにより、ノート型パソコンを使用して電子ペーパに印刷することができるようになるため、簡単に外出先で電子ペーパに書き込みすることができるようになる。また、電子ペーパには、上書きして別の表示をすることができるため、普通紙と比較して、用意すべき電子ペーパの枚数を普通紙より減らすことができる。すなわち、大量の普通紙を持ち歩く必要がなくなる。
【００１２】
また、本発明のノート型パソコンは、前記電子ペーパの表示を読み取るスキャナ手段と、このスキャナ手段による読取データを記憶する記憶手段と、を有する構成としてある。
このように構成すれば、ノート型パソコンは、スキャナ手段により電子ペーパの表示を読み取り、その読み取りデータをノート型パソコンに記憶することができる。これによりノート型パソコンをスキャナとして利用することができるため、電子ペーパに表示されたデータをキー入力する作業を省くことができる。したがって、キー入力により発生する入力ミスが無くなる。
【００１３】
また、本発明のノート型パソコンは、記憶手段に記憶した前記スキャナ手段の読取データを解析する解析手段を有する構成としてある。
このように構成すれば、スキャナ手段で読み取ったデータ（例えば、手書き文）を解析して、活字に変換することができる。これにより、ノート型パソコンをスキャナとして利用することができるため、データをキー入力する際に発生する入力ミスが無くなる。
【００１４】
また、本発明のノート型パソコンは、電子ペーパに表示された内容を消去する消去手段を設けたとしてある。
このような構成にすれば、電子ペーパに表示された内容が最終的に不要になる場合には、表示内容を消し去ることができる。したがって、再度、電子ペーパに新しい内容を表示することができるため、普通紙と比較して、用意すべき電子ペーパの枚数を減らすことができる。また、持ち運びする電子ペーパの枚数を普通紙と比較して減少させることができるので、業務の効率化を図ることもできる。
【００１５】
また、本発明のノート型パソコンは、可動筐体部である第一の筐体部と固定筐体部である第二の筐体部を有し、前記第一の筐体部の内部で前記電子ペーパを搬送する第一の搬送路と、前記第二の筐体部の内部で前記電子ペーパを搬送する第二の搬送路とを有し、前記第一の搬送路と前記第二の搬送路とが連通するように設けられた構成としてある。
このように構成すれば、ノート型パソコン第一の筐体部の搬送路から、第二の搬送路へ電子ペーパを搬送することができる。これにより、ノート型パソコンの表示部を有する第一の筐体の上部から電子ペーパを給紙し、キーボードを有する第二の筐体の端部から排紙して、電子ペーパの書き込みや消去ができる。したがって、通常のプリンタの手差し印刷の要領で、電子ペーパに対する書き込みや消去ができる。
【発明の効果】
【００１６】
以上のように、本発明のノート型パソコンによれば、電子ペーパに書き込みすることができ、また、電子ペーパに書き込みした表示を消去して、再び書き込みすることができる。したがって、書き込みされた内容が最終的に不要になる場合には、電子ペーパの表示を消去することができるため、普通紙と比較して、用意すべき電子ペーパの枚数を普通紙より減らすことができる。したがって、外出先でノート型パソコンを使用して電子ペーパに書き込みする場合には、特に業務の効率化を図ることができる。
また、スキャナ手段で読み取ったデータ（例えば、手書き文）を解析手段で解析して、活字に変換することができるため、普通紙に手書きで記入された記載データをキー入力しなくてもスキャナ手段で読み取ってデータ化することができる。したがって、手書き文字などのデータを端末装置（ノート型パソコン）へキー入力する際に発生する入力ミスが無くなる。
さらに、電子ペーパはノート型パソコンの可動筐体部上部から一枚ずつ挿入して書き込み（印刷）をして、固定筐体部の端部から排紙することができる。したがって、一般のプリンタの手差し印刷の要領で容易に書き込みすることができる。
【発明を実施するための最良の形態】
【００１７】
まず、本実施形態で使用するノート型パソコン１の機構部を、図面を参照して説明する。
図１は、本実施形態のノート型パソコンの外観構成を示す全体斜視図であり、図２は、本実施形態のノート型パソコンの内部構造を示す断面側面図である。また、図３は、第一及び第二の搬送路の構成を示す構成概略図であり、図４は、本実施形態における電子ペーパとガイド部材等の関係を示す正面図である。さらに、図５は、本実施形態における第一の搬送路の挿入口付近の構成を示す概略構成図であり、図６（ａ）は、消去ヘッドと、消去ヘッドを構成する電極に挟持された電子ペーパの概略断面図であり、（ｂ）は、書込ヘッドと、書込ヘッドを構成する記録ヘッドと搬送ローラに挟持された電子ペーパの概略断面図である。
【００１８】
ノート型パソコン１は、図１、図２に示すように、可動筐体部１０と、固定筐体部２０と、ヒンジ部３０とを備えている。可動筐体部１０と固定筐体部２０とは、ヒンジ部３０を介して開閉自在に構成されている。
【００１９】
可動筐体部（第一の筐体部）１０は、表示部１１と、第一の搬送路１２と、搬送ローラ１３ａ、１３ｂと、給紙検知センサ１４と、読取センサ１５と、消去ヘッド１８を有しており、さらに、図４、図５に示すように、ガイド棒挿入穴１６と、設定ガイド棒１７とを有している。
【００２０】
表示部（表示手段）１１は、ＬＣＤ（液晶ディスプレイ）やプラズマディスプレイなどで構成することができ、ユーザインタフェイス（例えば、キーボード２１（後述）等）で入力された文字等、ユーザインタフェイスの操作にもとづいて選ばれた画像、映像等を表示する。また、表示部１１は、読取センサ１５で読み取られた、用紙（電子ペーパ２００や普通紙）に記載された内容を画像として表示することもできる。
【００２１】
第一の搬送路１２は、図３に示すように、対抗配置された上板１２ａと下板１２ｂとの間の空間部分として形成され、それら上板１２ａと下板１２ｂとの上方開口部が、用紙の挿入される挿入口１２ｃとして形成されている。このため、上板１２ａと下板１２ｂとは、用紙の移動をガイドする案内部材としての機能を有している。
なお、この第一の搬送路１２（及び、後述する第二の搬送路２２）によって搬送される用紙には、電子ペーパ２００や普通紙があり、それらに表された文字や絵図等（原稿）としては、活字体で印刷された原稿や、手書きの原稿、図表などがある。
【００２２】
搬送ローラ１３ａ、１３ｂは、第一の搬送路１２における所定の位置に、用紙を把持するように備えられている。この搬送ローラ１３ａ、１３ｂが回転することにより、挿入口１２ｃから挿入された用紙は、可動筐体部１０の上方から第一の搬送路１２の内部を通過して、可動筐体部１０の下方へ安定して搬送される。
なお、ノート型パソコン１を開いた状態で挿入口１２ｃから用紙を挿入すれば、重力の落下作用を利用できるため、用紙をさらに安定して下方に搬送させることができる。
【００２３】
給紙検知センサ１４は、挿入された用紙を検知すると検知信号を出力する。この検知信号は、搬送ローラ１３ａ、１３ｂの回転駆動や、読取センサ１５の読取駆動等のトリガ信号として使用される。この給紙検知センサ１４は、図４に示すように、第一の搬送路１２の挿入口１２ｃ付近に設けることができ、用紙が給紙検知センサ１４にさしかかったときに、その用紙を検知できる光センサなどを使用することができる。
【００２４】
読取センサ（スキャナ手段）１５としては、例えば、ＣＣＤ（Ｃｈａｒｇｅ  Ｃｏｕｐｌｅｄ  Ｄｅｖｉｃｅ）ラインセンサを用いることができる。ＣＣＤは、光情報を電気信号に変換する半導体素子であり、ＣＣＤラインセンサは、光を電気信号に変換する受光素子（画素）を一列に並べたものである。また、ＣＣＤラインセンサは、光源を原稿に照射してその反射光を読み取るセンサであるため、電子ペーパ２００であっても、電子ペーパ２００の表面が白黒のコンストラストを構成する場合には、普通紙と同様に、電子ペーパ２００の表示をデータとして読み取ることができる。この読取センサ１５により読み取られた電子ペーパ２００または普通紙のデータは、制御部５０（後述）へ送られて所定の処理がなされる。
【００２５】
ガイド棒挿入穴１６は、図５（ａ）、（ｂ）に示すように、第一の搬送路１２の上板１２ａや下板１２ｂに、所定数（本実施形態においては、ガイド棒挿入穴１６ａ、１６ｂ、１６ｃの三ヶ所）設けられている。これらガイド棒挿入穴１６ａ、１６ｂ、１６ｃには、断面形状矩形の細長い設定ガイド棒１７が挿入固定される。
すなわち、設定ガイド棒１７を、左端のガイド棒挿入穴１６ａに挿入（一字固定）した場合には、例えば、Ａ４用紙の位置決めガイドとなり、真中のガイド棒挿入穴１６ｂに挿入した場合には、Ａ５用紙の位置決めになり、同様に右端のガイド棒挿入穴１６ｃの場合には、Ａ６用紙の位置決めとなる。
【００２６】
消去ヘッド１８は、電子ペーパ２００に書き込まれた表示を消去する。消去ヘッド１８は、従来公知の任意好適な消去手段（例えば、特開２００１−９２３８７号公報に記載の手段）を使用できる。
消去ヘッド１８の具体例としては、例えば、電子ペーパ２００に一様に電界を発生させる電極を用いることができる。図６（ａ）に示すように、電極は、弾性材料から形成された一対の弾性ローラにより構成される。この弾性ローラは、導電性のゴムローラから構成され、電子ペーパ２００の表示を消去するときには電圧が印加される。
【００２７】
電子ペーパ２００の表側の表示基板２０３に電界を加えることにより、表示基板２０３は正又は負に帯電する。電子ペーパ２００を構成する二枚の基板内部の黒色粒子２０１または白色粒子２０２のうち、どちらか一方の粒子は、帯電した表面基板２０３に引き寄せられる。そして、他方の粒子は、非表示基板２０４に引き寄せられる。これにより、電子ペーパ２００の表面基板２０３は、黒色または白色に統一され、電子ペーパ２００の表示は消去される。
なお、図６（ａ）に示す場合には、表面基板２０３が消去ヘッド１８により帯電することにより、黒色粒子２０１が表面基板２０３に引き寄せられる。これにより、電子ペーパ２００の表面は黒色に統一され、電子ペーパ２００の表示は消去される。
ただし、電子ペーパ２００に表示がされていても、書込ヘッド２８により、別の表示に変更することができる。したがって、電子ペーパ２００の表示を消去する必要がある場合だけ、消去ヘッド１８を使用すればよい。
【００２８】
固定筐体部（第二の筐体部）２０は、図１、図２に示すように、キーボード２１と、第二の搬送路２２と、搬送ローラ２３ａ、２３ｂ、２３ｃと、印字ヘッド２４と、排紙検知センサ２５と、書込ヘッド２８とを有している。
【００２９】
キーボード２１は、文字・数字・記号等の入力が行われるユーザインタフェイスである。
第二の搬送路２２は、図３に示すように、対抗配置された上板２２ａと下板２２ｂとの間の空間部分として形成され、それら上板２２ａと下板２２ｂとの前方開口部が、用紙の排出される排出口２２ｃとして形成されている。このため、上板２２ａと下板２２ｂとは、用紙の移動をガイドする案内部材としての機能を有している。
【００３０】
搬送ローラ２３ａ、２３ｂ、２３ｃは、第二の搬送路２２における所定の位置に、用紙を把持するように配置されている。この搬送ローラ２３ａ、２３ｂ、２３ｃが回転することにより、第一の搬送路１２から配給された電子ペーパ２００または普通紙は、排出口２２ｃへ搬送される。
印字ヘッド２４は、インクジェット式あるいは感熱式の印字ヘッドであり、普通紙に印字を行う。
排紙検知センサ２５は、用紙の終端の通過により、排紙が完了したことを検知する。
【００３１】
なお、第一の搬送路１２と第二の搬送路２２は、第一の筐体部１０と第二の筐体部２０を、図２に示すように、ヒンジ部３０を介して開いた状態のとき、連通するように形成されている。これにより、挿入口１２ｃから挿入された用紙は、第一の搬送路１２から第二の搬送路２２へスムーズに搬送され、最終的に排出口２２ｃから排出される。
【００３２】
この第一の搬送路１２と第二の搬送路２２との連通部分の構造について、図７〜図９を参照して説明する。
図７は、第一の搬送路、第二の搬送路及び連通部分に備えられたフラッパーの配置関係を示す概略斜視図である。また、図８は、フラッパー及び切替操作部の構造を示す斜視図であって、第二の搬送路の受入口が開口される際のフラッパーの状態を示す図であり、図９は、第二の搬送路の受入口が遮断される際のフラッパーの状態を示す図である。
【００３３】
第二の搬送路２２には、第一の搬送路１２で搬送されてきた用紙を受け入れる受入口２２ｄ付近に、フラッパー２２ｅを有している。
フラッパー２２ｅは、図７に示すように、第一の搬送路１２から送られてきた用紙が第二の搬送路２２の受入口２２ｄを通過するように開放したり、逆にその用紙が通過しないように遮断したりするためのものである。
【００３４】
このフラッパー２２ｅは、図８に示すように第二の搬送路２２の受入口２２ｄの全体又は一部を塞いだり開放したりするための板状部材２２ｅ−１と、この板状部材２２ｅ−１の一つの側面の全体又は一部に接合されており、板状部材２２ｅ−１の回動動作の軸となる軸部材２２ｅ−２と、この軸部材２２ｅ−２を支持するために固定筐体部２０などに固定された軸受部材２２ｅ−３と、板状部材２２ｅ−１が受入口２２ｄを蓋するように付勢するための弾性部材２２ｅ−４と、この弾性部材２２ｅ−４を支持するために固定筐体部２０などに固定された弾性支持部材２２ｅ−５と、軸部材２２ｅ−２に突設されており、弾性部材２２ｅ−４による付勢を受ける弾性受部材２２ｅ−６とを有している。
【００３５】
そして、固定筐体部２０には、フラッパー２２ｅの板状部材２２ｅ−１を回動させるための切替操作部２６が設けられている。
切替操作部２６は、フラッパー２２ｅの弾性受部材２２ｅ−６に当接するとともに、その弾性受部材２２ｅ−６の一つの面上を擦るようにしながら動く擦動部材２６ａと、この擦動部材２６ａを支持する切替部支持部材２６ｂと、この切替部支持部材２６ｂのうち固定筐体部２０の切替操作部用開口２７で露出する面に、固定筐体部２０の外側に向かって突設されたつまみ部材２６ｃとを有している。
【００３６】
つまみ部材２６ｃは、切替操作部用開口２７内で往復移動が可能となっている。そして、切替操作部用開口２７の近傍裏面には、切替部支持部材２６ｂを少なくとも二つの方向から支持するガイド２７ａが設けられており、切替部支持部材２６ｂは、そのガイド２７ａで支持された範囲内で、つまみ部材２６ｃの往復移動の方向と同じ方向に往復移動が可能となっている。このため、ノート型パソコン１の使用者は、つまみ部材２６ｃをつまみながら、切替操作部２６全体の往復移動操作を行うことができる。
なお、ガイド２７ａは、図８においては、切替部支持部材２６ｂをその側面と下面から支持しているが、切替部支持部材２６ｂの側面と下面から支持する形状に限るものではなく、切替部支持部材２６ｂを支持できる形状であれば、どのような形状であってもよい。
【００３７】
切替操作部２６が往復移動すると、擦動部材２６ａは、弾性受部材２２ｅ−６の一つの面上を擦るようにしながら往復移動する。擦動部材２６ａの移動方向のうち一の方向は、弾性部材２２ｅ−４により弾性受部材２２ｅ−６が付勢される方向とほぼ同じ方向であり、他の方向は、その付勢方向に反する方向である。
【００３８】
ここで、図８に示すように、擦動部材２６ａの移動方向が、弾性部材２２ｅ−４による付勢方向に反発する方向（同図中の太い矢印の方向）である場合、弾性受部材２２ｅ−６は、軸部材２２ｅ−２を軸として付勢方向に反発する方向へ回動する。そうすると、軸部材２２ｅ−２も自身を軸として回動する。このため、この軸部材２２ｅ−２に接合された板状部材２２ｅ−１も、それら弾性受部材２２ｅ−６や軸部材２２ｅ−２の回動にともなって回動する。これにより、板状部材２２ｅ−１は、第二の搬送路２２の受入口２２ｄの全体又は一部を蓋を開けるように開放することができる。
【００３９】
一方、図９に示すように、擦動部材２６ａの移動方向が、弾性部材２２ｅ−４による付勢方向と同じ方向（同図中の太い矢印の方向）である場合、弾性受部材２２ｅ−６は、軸部材２２ｅ−２を軸として付勢方向へ回動する。そうすると、軸部材２２ｅ−２も自身を軸として回動する。このため、この軸部材２２ｅ−２に接合された板状部材２２ｅ−１も、それら弾性受部材２２ｅ−６や軸部材２２ｅ−２の回動にともなって回動する。これにより、板状部材２２ｅ−１は、第二の搬送路２２の受入口２２ｄの全体又は一部を蓋をするように遮断することができる。
なお、図９においては、板状部材２２ｅ−１が軸部材２２ｅ−２に対してほぼ垂直上方向に突設した状態となっているが、軸部材２２ｅ−２に対してほぼ垂直上方向に突設した状態となるまで板状部材２２ｅ−１が回動することに限定するものではなく、第二の筐体２０の受入口２２ｄを塞ぐことができる程度の角度まで、板状部材２２ｅ−１が回動するようになっていればよい。
【００４０】
書込ヘッド２８は、従来公知の任意好適な書込手段（例えば、特開２００１−９２３８７号公報に記載の手段）を使用できる。書込ヘッド２８は、例えば、図６（ｂ）に示すように、書込ヘッド本体２８ａと搬送ローラ２８ｂから構成される。
電子ペーパ２００への具体的な書き込み方法は、以下の通りである。まず、書込ヘッド本体２８ａが電子ペーパ２００に対し、表示データに対応した位置に電界を与える。つぎに、電子ペーパ２００の表示基板２０３のうち書込ヘッド本体２８ａにより電界が加えられた領域は正の電荷（又は負の電荷）を帯びるので、その部分に引き付けられていた負に帯電した粒子（又は、正に帯電した粒子）は、非表示基板２０４の方向に移動する。これにより、電子ペーパ２００の表示基板２０２は、白と黒のコンストラストによる表示が形成される。
【００４１】
例えば、書込ヘッド本体２８ａが、図６（ｂ）に示すように、表示基板２０３を負に帯電させる場合には、負に帯電した黒色粒子２０１は、非表示基板２０４に移動し、正に帯電した白色粒子２０２は、表示基板２０３に移動する。また、書込ヘッド本体２８ａが、表示基板２０３を正に帯電させる場合には、黒色粒子２０１は、移動することなく、表示基板２０３に留まる。これにより表示基板２０３の黒色粒子２０１が付着してない表示基板２０３は白色となり、電子ペーパ２００に黒と白のコントラストによる表示が形成される。なお、消去ヘッド１８により表示基板２０３に白色粒子２０２を引き付けておき、書込ヘッド本体２８ａによって、白色粒子２０２を非表示基板２０４方向に移動させることにより、白色粒子２０２が付着してない表示基板２０３の領域を黒色とすることもできる。
なお、ノート型パソコン１は、搬送用のモータ、読取センサ１５を構成するＣＣＤ（電荷結合素子）等の撮像素子、書込ヘッド２８等を制御する制御部を備えているが、図１、図２においては図示を省略する。
【００４２】
次に、本実施形態のノート型パソコンの制御部について、図１０を参照して説明する。同図は、本実施形態のノート型パソコンの制御部及びその関係系統を示すブロック図である。
同図に示すように、制御部５０は、モータ駆動制御部５１と、書込制御部５２と、読取センサ制御部５３と、読取データ記憶部５４と、ＯＣＲ部（光学式文字読取部）５５と、消去制御部５６と、プログラム記憶部５７と、ＣＰＵ５８とを有している。
また、制御部５０には、ＬＣＤ（表示部）１１、給紙検知センサ１４、読取センサ１５、消去ヘッド１８、印字ヘッド２４、排紙検知センサ２５、書込ヘッド２８、図示省略の搬送ローラ１３、２３、キーボード２１等が接続されている。
【００４３】
モータ駆動制御部５１は、ノート型パソコン１に挿入された用紙の搬送用モータを回転駆動させる。
書込制御部５２は、電子ペーパ２００に表示させるデータ等を書込ヘッド２８に出力し、電子ペーパ２００に実際に文字、表、図形データを表示させる。
【００４４】
読取センサ制御部５３は、読取センサ１５に、挿入口１２ｃから挿入された電子ペーパ２００の表示や普通紙の印刷を読み取らせる。
読取データ記憶部５４は、読取センサ制御部５３で読み取られたデータを記憶する。
ＯＣＲ部（解析手段）５５は、読取センサ１５が読み取った手書き文字を解析し、文字データに変換する。
消去制御部５６は、消去ヘッド１８を制御して、いったん表示された電子ペーパ２００の表示を消去する。
【００４５】
プログラム記憶部５７は、例えば、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、ＨＤＤ（Ｈａｒｄ  Ｄｉｓｋ  Ｄｒｉｖｅ）等で構成することができ、パーソナルコンピュータの有する各種機能を実行するためのプログラムやデータを記憶する。
ＣＰＵ５８は、プログラム記憶部５７に記憶されているプログラムを読込んで、実行することにより、ノート型パソコン１の構成各部に指令を送り、又は自ら動作して、ノート型パソコン１の有する各種機能を実行・制御する。
【００４６】
次に、本実施形態のノート型パソコン１の動作について、図１１を参照しつつ説明する。図１１は、本実施形態に係るノート型パソコンの動作手順を示すフローチャートである。
同図に示すように、まず、ユーザは、ノート型パソコン１の上部の挿入口１２ｃから電子ペーパ２００または普通紙を挿入し、給紙する（ステップＳ１）。給紙検知センサ１４が用紙を検知し、モータ駆動制御部５２の制御のもとに搬送ローラ１３ａ、１３ｂが回転し、用紙は、読取センサ１５を通過する。
【００４７】
ノート型パソコン１をスキャナとして使用し、電子ペーパ２００の表示内容又は普通紙の印刷内容を読み取る場合には（ステップＳ２：ＹＥＳ）、読取センサ制御部５４の制御のもと、読取センサ１５が電子ペーパ２００の表示内容又は普通紙の印刷内容を読み取る（ステップＳ３）。読み取られたデータは、読取データ記憶部５５に記憶される（ステップＳ４）。
また、読み取られたデータが手書き文字ある場合であって、活字印刷用に文字を変換するＯＣＲ処理をする場合には（ステップＳ５）、ＯＣＲ部５６の制御のもと、ＯＣＲ処理が行われる（ステップＳ６）。
【００４８】
次に、ノート型パソコン１のＨＤＤ等の記憶手段に記憶さているデータを電子ペーパ２００または普通紙に書き込みする手順について説明する。
まず、ノート型パソコン１に挿入された用紙が、電子ペーパ２００の場合であって（ステップＳ７：ＹＥＳ）、その電子ペーパ２００に書き込みする場合には（ステップ８：ＹＥＳ）、書込ヘッド２８が動作し（ステップＳ９）、電子ペーパ２００に書き込みされ、その後、モータ駆動制御部５２の制御のもとに搬送ローラ２３ａ、２３ｂ、２３ｃが回転し、電子ペーパ２００は、排出口２２ｃから排出される（ステップＳ１０）。
【００４９】
一方、電子ペーパ２００に書き込みをしないで（ステップＳ８）、既に書き込まれている電子ペーパの内容を消去する場合には（ステップＳ１１：ＹＥＳ）、消去ヘッド１８により電子ペーパ２００の書き込みを消去することにより（ステップＳ１２）、電子ペーパ２００の記載内容を消すことができる。
なお、電子ペーパ２００に書き込みも、消去もしない場合には（ステップＳ１１：ＮＯ）、電子ペーパ２００は、搬送ローラ２３ａ、２３ｂ、２３ｃによって搬送され、普通紙は排出口２２ｃから排出される（ステップＳ１０）。
【００５０】
次に、ノート型パソコン１に挿入された用紙が、普通紙の場合であって（ステップＳ７：ＮＯ）、その普通紙に印刷する場合には（ステップＳ１３：ＹＥＳ）、には、印字ヘッド２４が動作し（ステップＳ１４）、普通紙に印刷され、その後、排紙される（ステップＳ１０）。
一方、普通紙に印刷しない場合には（ステップＳ１３：ＮＯ）、搬送ローラ２３ａ、２３ｂ、２３ｃが回転し、普通紙は排出口２２ｃから排出される（ステップＳ１０）。
【００５１】
以上説明したように、本実施形態に係るノート型パソコン１によれば、電子ペーパ２００に印刷することができ、また、電子ペーパ２００に書き込まれた表示を消去して、再び書き込みすることができる。したがって、普通紙と比較して、準備しなければならない電子ペーパの枚数を減少させることができる。特に、外出先で書き込み（印刷）する場合には、持ち運ぶ電子ペーパの枚数を普通紙より少なくできることから、業務の効率化を図ることができる。
また、スキャナ手段で読み取ったデータ（例えば、手書き文）を解析手段で解析して、活字に変換することができることから、普通紙に手書きで記入された記載データをキー入力しなくてもスキャナ手段で読み取ってデータ化することができる。したがって、手書き文字を端末装置（ノート型パソコン）にキー入力する際の入力ミスが無くなる。
さらに、本発明に係るノート型パソコンは、電子ペーパ２００のみならず普通紙にも印刷することができる。したがって、電子ペーパ２００がない場合には、印字ヘッド２４を使用して普通紙に印刷することができる。
【００５２】
以上、本発明の装置について、好ましい実施形態を示して説明したが、本発明に係るノート型パソコンは、上述した実施形態にのみ限定されるものではなく、本発明の範囲で種々の変更実施が可能であることは言うまでもない。
例えば、消去ヘッド１８の設置位置は、第一の搬送路でなく、第二の搬送路としてもよい。また、書込ヘッド２８は、第二の搬送路に設けなくても、第一の搬送路に設けてもよい。また、書込ヘッド２８を消去ヘッド１８と機能させることもできる場合もあるため、書き込み時に電子ペーパ２００を消去することもできるときには、消去ヘッド１８を設けなくてもよい。また、普通紙専用の印字ヘッド２４は設けなくてもよく、電子ペーパ２００書込み専用のノート型パソコン１であってもよい。
【産業上の利用可能性】
【００５３】
本発明は、電子ペーパ２００への書き込み機能をノート型パソコンに備えたことを特徴としているため、持ち運び可能な情報処理装置に利用可能である。
【図面の簡単な説明】
【００５４】
【図１】本発明の実施形態のノート型パソコンの外観構成を示す全体斜視図である。
【図２】本実施形態のノート型パソコンの内部構造を示す断面側面図である。
【図３】第一及び第二の搬送路の構成を示す構成概略図である。
【図４】本実施形態における電子ペーパとガイド部材等の関係を示す正面図である。
【図５】本実施形態における第一の搬送路の挿入口付近の構成を示す概略構成図である。
【図６】（ａ）は、消去ヘッドにより表示が消去される際の電子ペーパ内部の状態を示す概略断面図であり、（ｂ）は、書込ヘッドにより表示が書き込みされる際の電子ペーパ内部の状態を示すの概略断面図である。
【図７】本実施形態におけるノート型パソコンの各搬送路及びフラッパーの構成を示す外観斜視図である。
【図８】フラッパー及び切替操作部の構造を示す斜視図であって、第二の搬送路の受入口が開放される際のフラッパーの状態を示す図である。
【図９】フラッパー及び切替操作部の構造を示す斜視図であって、第二の搬送路の受入口が開放される際のフラッパーの状態を示す図である。
【図１０】本実施形態の制御部及びその関係系統を示すブロック図である。
【図１１】本実施形態におけるノート型パソコンの動作手順を示すのフローチャートである。
【図１２】従来技術のノート型パソコンの側面断面図である。
【符号の説明】
【００５５】
１  ノート型パソコン
１０  可動筐体部
１１  表示部（ＬＣＤ）
１２  第一の搬送路
１２ａ  第一の搬送路の上板
１２ｂ  第一の搬送路の下板
１２ｃ  挿入口
１３ａ、１３ｂ  搬送ローラ
１４  給紙検知センサ
１５  読取センサ
１６ａ、１６ｂ、１６ｃ  ガイド棒挿入穴
１７  設定ガイド棒
１８  消去ヘッド
２０  固定筐体部
２１  キーボード
２２  第二の搬送路
２２ｃ  排出口
２３ａ、２３ｂ、２３ｃ  搬送ローラ
２４  印字ヘッド
２５  排紙検知センサ
２６  切替操作部
２７  切替操作部用開口
２８  書込ヘッド
２８ａ  書込ヘッド本体
２８ｂ  搬送ローラ
２００  電子ペーパ
２０１  黒色粒子
２０２  白色粒子
２０３  表示基板
２０４  非表示基板
【図１】
2006119909.tif 000003
【図２】
2006119909.tif 000004
【図３】
2006119909.tif 000005
【図４】
2006119909.tif 000006
【図５】
2006119909.tif 000007
【図６】
2006119909.tif 000008
【図７】
2006119909.tif 000009
【図８】
2006119909.tif 000010
【図９】
2006119909.tif 000011
【図１０】
2006119909.tif 000012
【図１１】
2006119909.tif 000013
【図１２】
2006119909.tif 000014